(57)【要約】携帯電話の制御部は、撮影モードにおいて、カメラ部によって撮影した被写体の画像データとともに、前記被写体を撮影したときの日付及び時刻のデータを時計部から取得して撮影日データ及び撮影時刻データとして該画像データに対応付けて記憶部に保存する。制御部はまた、待ち受けモードにおいて、時計部の出力する日付データと記憶部に保存した画像データの撮影日データが合致したとき、該画像データ及び該画像データに対応する撮影日付及び時刻を記憶部から読み出し重ねて表示するように表示部を制御する。表示部には、画像データ及び該画像データに対応する撮影日付並びに時刻が重ねて表示される。
2008102642.tif 000002
【特許請求の範囲】
【請求項１】
撮影モードにおいて被写体を撮影し画像データを出力する撮影部と、現在の日付及び時刻を計時する時計部と、制御部と、記憶部と、表示部と、通信を行うと共に待受モードにおいて受信待ち状態となる通信部とを有する携帯端末において、
前記制御部は、前記撮影モードにおいて、前記撮影部が撮影した被写体の画像データを取得すると共に、前記撮影部が前記被写体を撮影したときの日付及び時刻のデータを前記時計部から取得して、該画像データとともに前記日付及び時刻のデータをそれぞれ撮影日データ及び撮影時刻データとして該画像データに対応付けて前記記憶部に保存し、
前記制御部はまた、前記待受モードにおいて、前記時計部の出力する日付データと前記記憶部に保存した画像データの撮影日データが合致するものがあるかどうか検索を行ない、合致するものがあると判別したとき、該合致した撮影日データに対応する画像データ及び該画像データに対応付けられた撮影日付並びに撮影時刻を前記記憶部から読み出し重ねて表示するように前記表示部を制御することを特徴とする携帯端末。
【請求項２】
文字入力機能を持つ操作部を更に有し、
前記制御部は、前記画像データとともに該画像データに対応付けて前記操作部から入力されたタイトル文字を前記記憶部に保存し、前記待受モードにおいて前記記憶部に保存した画像データを前記表示部に表示するとき、更に、該画像データに対応付けられたタイトル文字を前記記憶部から読み出して該画像データに重ねて表示するように前記表示部を制御することを特徴とする請求項１に記載の携帯端末。
【請求項３】
前記制御部は、前記時計部の出力する日付データと前記記憶部に保存した撮影日データが合致する画像データが前記記憶部に複数存在する場合、これら複数の画像データを撮影日時の順序で表示するように前記表示部を制御することを特徴とする請求項１又は２に記載の携帯端末。
【請求項４】
前記制御部は、前記複数の画像データを撮影日時の順序で、所定時間間隔で表示するように前記表示部を制御することを特徴とする請求項３に記載の携帯端末。
【請求項５】
前記制御部は、前記複数の画像データを撮影日時の古い順に、前記所定時間間隔で表示するように前記表示部を制御することを特徴とする請求項４に記載の携帯端末。
【請求項６】
前記制御部は、前記撮影モードにおいて、前記撮影部が撮影した被写体の画像データを取得すると共に、前記撮影部が前記被写体を撮影したときの年月日及び時刻のデータを前記時計部から取得して、該画像データとともに前記年月日及び時刻のデータをそれぞれ撮影年月日データ及び撮影時刻データとして該画像データに対応付けて前記記憶部に保存し、
前記制御部はまた、前記待ち受けモードにおいて、前記時計部の出力する月日データと前記記憶部に保存した画像データの撮影月日データが合致するものがあるかどうか検索を行ない、合致するものがあると判別したとき、該合致した撮影月日データに対応する画像データ及び該画像データに対応付けられた撮影年月日並びに撮影時刻を前記記憶部から読み出し重ねて表示するように前記表示部を制御することを特徴とする請求項１乃至５のいずれか一に記載の携帯端末。
【請求項７】
前記制御部は更に、ユーザによる特定ボタンの操作時に、該特定ボタン操作時の日付データと前記記憶部に保存した画像データの撮影日データが合致するものがあるかどうか検索を行ない、合致するものがあると判別したとき、該合致した撮影日データに対応する画像データ及び該画像データに対応付けられた撮影日付並びに撮影時刻を前記記憶部から読み出し重ねて表示するように前記表示部を制御することを特徴とする請求項１乃至５のいずれか一に記載の携帯端末。
【請求項８】
前記制御部は更に、ユーザによる特定ボタンの操作時に、該特定ボタン操作時の月日データと前記記憶部に保存した画像データの撮影月日データが合致するものがあるかどうか検索を行ない、合致するものがあると判別したとき、該合致した撮影月日データに対応する画像データ及び該画像データに対応付けられた撮影年月日並びに撮影時刻を前記記憶部から読み出し重ねて表示するように前記表示部を制御することを特徴とする請求項６に記載の携帯端末。
【発明の詳細な説明】
【技術分野】
【０００１】
本発明は携帯電話等の携帯端末に関し、特に撮影機能を有する携帯端末に関する。
【背景技術】
【０００２】
撮影機能を有する携帯端末は様々なタイプのものが提供されており、代表的な例として携帯電話がある。
撮影機能を有する携帯電話は、被写体を撮影して画像データを出力するカメラ部、年月日及び時刻を計時して出力する時計部、画像データ等を表示する表示部、制御部等を有する。制御部はカメラ部によって得た画像データと時計部からの年月日及び時刻データとを記憶部に保存する。制御部はまた、保存された画像データを表示部に表示するときには当該画像データ上に撮影年月日等を重ねて表示する。
例えば、特許文献１（特開２００１−２７４９３６号公報）に記載された情報端末は、他の情報端末から送信されたキャプチャ画像データを受信しフラッシュメモリに保存する場合、受信日時情報も保存し、表示部に表示する際に、受信日時情報とキャプチャ画像を重ねて表示する。
特許文献２（特開２００４−２２０４２０号公報）には、記憶部に記憶した画像を日時情報によって検索表示できるようにした画像検索方法が開示されている。特許文献３（特開２００６−１９１４４４号公報）には、ユーザが画像のタイトルを入力すると、後の再生時に何を撮影したのかすぐ分かるようにした撮影装置が開示されている。
特許文献１〜３記載の技術を組み合わせることにより、カメラ部によって撮影して得た画像データと時計部から出力した日時等のデータを重ねて表示させたり、日時等のデータを使用して画像データを検索したりすることによって所望の画像データを日時等のデータとともに表示させることが可能になる。
【発明の開示】
【０００３】
ところで、数ヶ月前、１年前あるいは数年前の行動を思い出すことは難しい。例えば、１年前にどこに旅行したか、１年前にどのような記念日があり、その記念日にどのような行動をしたか等、その当時の行動を思い出すことは難しい。
前記特許文献に記載された発明においても、当時の行動を思い出すためには、記憶部に記憶した画像データを年月日等によって検索する必要があり煩雑であるため、検索操作を行って過去の画像データを見るということが少ない。したがって、撮影した画像はデータとして保存されていても、過去の行動を思い出すためには使用され難い。その結果、画像データの有効な利用がなされないという問題がある。
本発明は、過去の行動や記念日等を思い出しやすいように、以前撮影した画像データを簡単な操作で見やすく表示できるようにすることを課題としている。
また、本発明は、以前撮影した画像データの有効利用を図れるようにすることを課題としている。
本発明による携帯端末は、撮影モードにおいて被写体を撮影し画像データを出力する撮影部と、現在の日付及び時刻を計時する時計部と、制御部と、記憶部と、表示部と、通信を行うと共に待受モードにおいて受信待ち状態となる通信部とを有する。本発明の態様によれば、前記制御部は、前記撮影モードにおいて、前記撮影部が撮影した被写体の画像データを取得すると共に、前記撮影部が前記被写体を撮影したときの日付及び時刻のデータを前記時計部から取得して、該画像データとともに前記日付及び時刻のデータをそれぞれ撮影日データ及び撮影時刻データとして該画像データに対応付けて前記記憶部に保存する。前記制御部はまた、前記待受モードにおいて、前記時計部の出力する日付データと前記記憶部に保存した画像データの撮影日データが合致するものがあるかどうか検索を行ない、合致するものがあると判別したとき、該合致した撮影日データに対応する画像データ及び該画像データに対応付けられた撮影日付並びに撮影時刻を前記記憶部から読み出し重ねて表示するように前記表示部を制御する。
本発明によれば、過去の行動や記念日等を思い出しやすいように、以前撮影した画像データを簡単な操作で見やすく表示することが可能になる。また、以前撮影した画像データの有効利用を図ることが可能になる。
【図面の簡単な説明】
【０００４】
図１は、本発明の実施形態に係る携帯端末のブロック図である。
図２は、本発明の実施形態に係る携帯端末の撮影画像データの構成例を示す図である。
図３は、本発明の実施形態に係る携帯端末の動作を説明するためのフローチャートである。
図４Ａは、本発明の実施形態に係る携帯端末の表示画像例を示す図である。
図４Ｂは、図４Ａの表示画像に対してタイトル入力を指示する場合の表示画像例を示す図である。
図４Ｃは、図４Ｂにおいてタイトルが入力された表示画像を待受画面として表示する場合の例を示す図である。
【発明を実施するための最良の形態】
【０００５】
以下、本発明の実施形態に係る携帯端末について説明する。
図１は、本発明の実施形態に係る携帯端末のブロック図で、携帯電話の例を示している。
図１において、携帯端末である携帯電話１００は、カメラ部１０１、表示部１０２、時計部１０３、制御部１０４、記憶部１０５、操作部１０６、無線部１０７を備えている。
カメラ部１０１は、被写体を撮影するもので、動画や静止画の撮影機能を有し、撮影した画像に対応する画像データを出力する。表示部１０２は、カメラ部１０１にて撮影した画像や、その他情報を表示する。時計部１０３は、年月日、時刻を計時して日付や時刻等の値を制御部１０４に送る。制御部１０４は、携帯電話１００の各部の動作を制御する中央処理装置（ＣＰＵ）である。
記憶部１０５は、被写体を撮影して得た画像データや、制御部１０４で実行する制御プログラム等を格納するものである。操作部１０６は、テンキーやカーソルキーを含み、ユーザからの操作入力を受け付ける。無線部１０７は、携帯電話１００を通信端末として使用する場合に、無線基地局との間の通信処理を実行する。以上のハードウェア構成要素自体は、既存の携帯電話と同等の技術で実現できるため、詳細な説明を省略する。
尚、カメラ部１０１、無線部１０７はそれぞれ、撮影部、通信部と呼ばれても良い。
図２に、本発明の実施形態に係る携帯電話１００で得られる撮影画像データ２００の一例を示す。撮影画像データ２００は、カメラ部１０１から出力された画像データ２０１に、時計部１０３から出力された撮影時の日付（撮影日）２０２及び時刻（撮影時刻）２０３と、ユーザにより操作部１０６の文字入力部から入力された画像のタイトル２０４とを対応付けた構成となっている。撮影画像データ２００の日付２０２は、年／月／日の情報を含んでいるが、月日のみの情報、あるいは日のみの情報にする等、適宜選定できる。
図３は、本発明の実施形態に係る携帯電話１００の動作フローチャートである。携帯電話１００は、被写体を撮影する撮影モードと、無線通信の待ち受けを行う待受モードとを有する。既存の携帯電話と同様に、携帯電話を起動するとまず待受モードとなり、ユーザの操作によって撮影モードを実行させ、撮影モードを終了すると再び待受モードに遷移するようになっている。
図４は、表示部１０２に表示される画像の一例である。図４Ａは撮影した画像データの表示例、図４Ｂは図４Ａの表示状態においてユーザにタイトル入力を指示する表示例、図４Ｃは待受モードにあるときの表示例を示している。
以下、図１〜図４を用いて、本発明の実施形態に係る携帯電話１００の動作を説明する。先ず始めに、撮影モードについて説明する。
図３において、携帯電話１００の制御部１０４は、ユーザにより撮影モードに移行するための所定操作が操作部１０６によって行われたことを検出すると撮影モードに遷移し（ステップＳ１１）、ユーザによる操作部１０６の所定ボタンの操作（例えばシャッターボタンの押下）に応答して、被写体を撮影するようにカメラ部１０１を制御する（ステップＳ１２）。
制御部１０４は、カメラ部１０１が撮影して得た画像データをカメラ部１０１から受信すると、図４Ａのように表示部１０２に撮影した画像を表示させると共に、そのときに時計部１０３が出力している日付及び時刻（現在の日付及び時刻）の値を撮影日及び撮影時刻として取得する（ステップＳ１３）。
続いて、制御部１０４は図４Ｂのように、撮影画像のタイトルをユーザに入力させる指示表示を行うように表示部１０２を制御する（ステップＳ１４）。ユーザによって操作部１０６からタイトルの文字が入力され、決定ボタンが押されると、制御部１０４は取得した画像データ、撮影日、撮影時刻、入力されたタイトルを撮影画像データ２００として記憶部１０５に記憶して保存する（ステップＳ１５）。
次に、待受モードについて説明する。制御部１０４は、操作部１０６の所定操作（例えばモード切替ボタンの押下）によって待受モードに遷移すると（ステップＳ１６）、ユーザによる前記所定操作に応答して、時計部１０３より現在の日付及び時刻を取得する（ステップＳ１７）。
次に制御部１０４は、記憶部１０５に保存されている複数の撮影画像データから、前記取得した日付に合致する撮影日（撮影日データ）に対応付けられた撮影画像データを検索する（ステップＳ１８）。尚、時計部１０３が出力する日付及び時刻と撮影画像データ２００は年／月／日／時刻の情報を含んでおり、ここでは月日が合致する画像データを検索するが、年月日が合致する画像データを検索するようにしても良い。
制御部１０４は、前記検索条件に合致する撮影画像データが記憶部１０５に記憶されているか否かを判断し（ステップＳ１９）、前記検索条件に合致する撮影画像データが記憶部１０５に記憶されていた場合、それを読み出し、表示部１０２に待受画像として表示するように表示部１０２を制御する（ステップＳ２０）。この表示の時、制御部１０４は、図４Ｃのように画像データ上に、この画像データに対応付けられている撮影日（ここでは撮影年月日）、撮影時刻、タイトルを重ねて表示するように表示部１０２を制御する。表示部１０２は、制御部１０４の制御に応答して、図４Ｃのように画像データ上に撮影日、撮影時刻、タイトルを重ねて表示する。
制御部１０４は、同じ日に複数回撮影が行なわれた場合や、過去複数年の同一月日に撮影が行なわれていた場合など、条件に合致する撮影画像データが複数存在した場合は、撮影日時順に、所定時間間隔で、待受画面に表示する画像データを切り替えるように表示部１０２を制御する（ステップＳ２１）。撮影日時順は、例えば撮影日、撮影時刻が古い順、或いは新しい順でもよい。その結果、表示部１０２には、図４Ｃに示す待受画面が所定時間間隔で切り替えられて表示される。
制御部１０４は、処理ステップＳ１９で条件に合致する画像データが無かった場合は、携帯電話１００に初期設定されている画像データ（記憶部１０５に記憶されている初期設定の画像データ）を待受画面に表示するように表示部１０２を制御する（ステップＳ２２）。この場合、表示部１０２には、初期設定された画像が表示される。
なお、撮影モードから待受モードへの切替えが無く、待受モードが何日も続く場合を考慮して、時計部１０３より日付及び時刻を取得し取得した日付に合致する撮影日（撮影日データ）に対応付けられた撮影画像データの検索を１日に１回行なうようにし、その時刻をあらかじめ指定しておくこともできる。
以上説明したように、本発明の実施形態による携帯電話は、撮影モードにおいて、撮影した被写体の画像データとともに、カメラ１０１が撮影を行なった日付と時刻のデータを時計部１０３から取得して各々撮影日データと撮影時刻データとして該画像データに対応付けて記憶部１０５に保存する。携帯電話はまた、待受モードに切替えられ、時計部１０３の出力する日付データと記憶部１０５に保存した画像データの撮影日データが合致したときには、自動的に、該画像データ及び該画像データに対応する撮影日並びに撮影時刻を重ねて表示する。これにより、特別な検索操作を行うことなく、図４Ｃで説明したように、表示部１０２に表示された画像を見ただけで撮影日等を判別することができ、又、待受画面上に過去撮影した画像データを撮影日等と共に表示するため、ユーザに、旅行等過去の行動や、記念日等を思い出させることが可能となる。
また、日時やタイトルを画像データに重ねて表示するため、以前撮影した画像データを見やすく表示することが可能になる。
また、現在日等に基づいて、待受画面に自動的に、現在日に対応する日等に撮影した過去の撮影画像を表示することが可能になる。
記憶部１０５に、以前撮影した画像データを多数記憶している場合、これらの画像データの有効利用が可能になる。
なお、撮影画像データ２００をユーザによる特定ボタンの操作により任意のタイミング、つまり特定ボタン操作時の日付データで撮影画像データを閲覧できるようにしてもよい。この場合も、制御部１０４は日付の合致した画像データ上に撮影日、撮影時刻、タイトルを重ねて表示するように構成してもよい。ただし、ユーザの設定により画像データのみを表示するようにしてもよい。
本発明は、静止画だけでなく、動画の撮影に適用しても良い。
本発明は、携帯電話のみならず、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノート型パーソナルコンピュータ等、撮影機能と通信機能を有する携帯端末全般に適用可能である。
この出願は、２００７年２月２４日に出願された日本出願特願２００７−４４７７２号を基礎とする優先権を主張し、その開示のすべてをここに取り込む。
【図１】
2008102642.tif 000003
【図２】
2008102642.tif 000004
【図３】
2008102642.tif 000005
【図４Ａ】
2008102642.tif 000006
【図４Ｂ】
2008102642.tif 000007
【図４Ｃ】
2008102642.tif 000008
【国際調査報告】
2008102642.tif 000009
2008102642.tif 000010
2008102642.tif 000011
2008102642.tif 000012